【手続補正書】
【提出日】平成19年1月5日(2007.1.5)
【手続補正１】
【補正対象書類名】明細書
【補正対象項目名】特許請求の範囲
【補正方法】変更
【補正の内容】
【特許請求の範囲】
【請求項１】  番組データを送信するに際し、上記番組に出てくる消費財に関連する情報を番組画像と同期のとれる形で送信することを特徴とするデータ送信方法。
【請求項２】  請求項１において、上記関連する情報がネットワーク上のリソースを指示する方式の情報であるデータ送信方法。
【請求項３】  請求項１において、上記関連する情報は、上記消費財を購入する方法を示す情報であるデータ送信方法。
【請求項４】  請求項１において、上記関連する情報は、上記消費財をネットワーク経由で購入できる情報であるデータ送信方法。
【請求項５】  請求項１において、上記関連する情報は、上記番組のホームページを指示する方式の情報であるデータ送信方法。
【請求項６】
請求項１において
上記消費財に関連する上記情報は上記番組画像の特定の画面上の位置と対応付けられて送信されることを特徴とするデータ送信方法。
【請求項７】  番組データを送信するに際し、上記番組に出てくる消費財に関連する情報を番組画像と同期のとれる形で送信することを特徴とするデータ送信装置。
【請求項８】  番組データを送信するに際し、上記番組に流れる音楽に関連する情報を番組画像と同期のとれる形で送信することを特徴とするデータ送信方法。
【請求項９】  請求項８において、上記関連する情報がネットワーク上のリソースを指示する方式の情報であるデータ送信方法。
【請求項１０】  請求項８において、上記関連する情報は、上記音楽を購入する方法を示す情報であるデータ送信方法。
【請求項１１】  請求項８において、上記関連する情報は、上記番組のホームページを指示する方式の情報であるデータ送信方法。
【請求項１２】  請求項８において、上記関連する情報は、上記音楽をネットワーク経由で購入できる情報であるデータ送信方法。
【請求項１３】  請求項８において、上記関連する情報は、上記音楽をネットワーク経由でダウンロードできる情報であるデータ送信方法。
【請求項１４】
請求項８において
上記音楽に関連する上記情報は上記番組画像の特定の画面上の位置と対応付けられて送信されることを特徴とするデータ送信方法。
【請求項１５】  番組データを送信するに際し、上記番組に流れる音楽に関連する情報を番組画像と同期のとれる形で送信することを特徴とするデータ送信装置。
【請求項１６】  番組データを受信し、上記番組画像を映すと共に、所定の消費財が映る画像を指示することによって、上記消費財に関連する情報を入手することを特徴とするデータ受信方法。
【請求項１７】  請求項１６において、上記消費財が映る画像を指示することによって、その画像を特定する指示情報を入手し、上記指示情報に基づいて番組放映中以外の時間に上記消費財に関連する情報を入手することを特徴とするデータ受信方法。
【請求項１８】  請求項１６において、上記関連する情報がネットワーク上のリソースを指示する方式の情報であるデータ受信方法。
【請求項１９】  請求項１６において、上記関連する情報は、上記消費財を購入する方法を示す情報であるデータ受信方法。
【請求項２０】  請求項１６において、上記関連する情報は、上記消費財をネットワーク経由で購入できる情報であるデータ受信方法。
【請求項２１】  請求項１６において、上記入手方法は、ボタン操作によって番組画像中の少なくとも一つの消費財の関連情報を入手できるデータ受信方法。
【請求項２２】  請求項２１において、リモコンのコマンダに設けた座標入力手段によって上記所定の消費財が映る画像を指示するようにしたデータ受信方法。
【請求項２３】
請求項１６において、
上記番組画像が映されているとき、所定の消費財が映る画像が指示されると上記指示の情報を記憶し、
記憶された情報に基づいて上記番組画像が映されていないとき上記消費財に関連する情報を入手することを特徴とするデータ受信方法。
【請求項２４】  番組データを受信し、上記番組画像を映すと共に、所定の消費財が映る画像を指示することによって、上記消費財に関連する情報を入手することを特徴とするデータ受信装置。
【請求項２５】  番組データを受信し、上記番組画像を映すと共に、所定の音楽が流れる画像を指示することによって、上記音楽に関連する情報を入手することを特徴とするデータ受信方法。
【請求項２６】  請求項２５において、上記音楽が流れる画像の指示によって、その画像を特定する指示情報を入手し、上記指示情報に基づいて番組放映中以外の時間に上記音楽に関連する情報を入手することを特徴とするデータ受信方法。
【請求項２７】  請求項２５において、上記関連する情報がネットワーク上のリソースを指示する方式の情報であるデータ受信方法。
【請求項２８】  請求項２５において、上記関連する情報は、上記音楽を購入する方法を示す情報であるデータ受信方法。
【請求項２９】  請求項２５において、上記関連する情報は、上記音楽をネットワーク経由で購入できる情報であるデータ受信方法。
【請求項３０】  請求項２５において、上記関連する情報は、上記音楽をネットワーク経由でダウンロードできる情報であるデータ受信方法。
【請求項３１】  請求項２５において、上記入手方法は、所定の音楽の流れる画像が映っているときにボタン操作によって関連する情報を入手できるデータ受信方法。
【請求項３２】  請求項３１において、リモコンのコマンダに設けたボタンによって上記音楽が流れる画像を指示することを特徴とするデータ受信方法。
【請求項３３】
請求項２５において、
上記番組画像が映されているとき、所定の消費財が映る画像が指示されると上記指示の情報を記憶し、
記憶された情報に基づいて上記番組画像が映されていないとき上記消費財に関連する情報を入手することを特徴とするデータ受信方法。
【請求項３４】  番組データを受信し、上記番組画像を映すと共に、所定の音楽が流れる画像を指示することによって、上記音楽に関連する情報を入手することを特徴とするデータ受信装置。
【請求項３５】  番組データを受信し、上記番組画像を映すと共に、指示操作またはボタン操作によって、上記番組画像に現れる所定の消費財の情報が画面表示されることを特徴とするデータ表示方法。
【請求項３６】  番組データを受信し、上記番組画像を映すと共に、指示操作またはボタン操作によって、上記番組画像に流れる所定の音楽の情報が画面表示されることを特徴とするデータ表示方法。
【請求項３７】  請求項３５または３６において、モニタの子画面に画面表示がされることを特徴とするデータ表示方法。
【請求項３８】  請求項３５または３６において、リモコンのコマンダの表示部に画面表示がされることを特徴とするデータ表示方法。
【請求項３９】  請求項３５または３６において、上記画面表示は、拡大または縮小可能なことを特徴とするデータ表示方法。
【請求項４０】  請求項３６において、上記画面表示は、ジャケットの写真であることを特徴とするデータ表示方法。
【請求項４１】  請求項３６において、さらに、表示された音楽を聞くことが可能なことを特徴とするデータ表示方法。
【請求項４２】
請求項３５において
上記消費財に関連する上記情報は上記番組画像の特定の画面上の位置と対応付けられて送信されることを特徴とするデータ表示方法。
【請求項４３】
請求項３５において、
上記番組画像が映されているとき、所定の消費財が映る画像が指示されると上記指示の情報を記憶し、
記憶された情報に基づいて上記番組画像が映されていないとき上記消費財に関連する情報を入手することを特徴とするデータ表示方法。
【請求項４４】  番組データを受信し、上記番組画像を映すと共に、指示操作またはボタン操作によって、上記番組画像に現れる所定の消費財の情報が画面表示されることを特徴とするデータ表示装置。
【請求項４５】  番組データを受信し、上記番組画像を映すと共に、指示操作またはボタン操作によって、上記番組画像に流れる所定の音楽の情報が画面表示されることを特徴とするデータ表示装置。
【請求項４６】  番組データに対して、番組データを特定するための情報と、上記番組データに関連する消費財および／または音楽の情報を蓄積し、上記番組データを特定するための情報によって、上記消費財および／または音楽の情報を提供するようにした情報サービス方法。
【請求項４７】  請求項４６において、さらに、番組より細かい単位でデータを特定するための情報毎に、上記消費財および／または音楽の情報を蓄積することを特徴とする情報サービス方法。
【請求項４８】
請求項４６において
上記消費財および／または音楽に関連する上記情報は番組画像の特定の画面上の位置と対応付けられて送信されることを特徴とする情報サービス方法。
【請求項４９】
請求項４６において、
番組画像が映されているとき、所定の消費財が映る画像が指示されると上記指示の情報を記憶し、
記憶された情報に基づいて上記番組画像が映されていないとき上記消費財に関連する情報を入手することを特徴とする情報サービス方法。
【請求項５０】  番組データに対して、番組データを特定するための情報と、上記番組データに関連する消費財および／または音楽の情報を蓄積し、上記番組データを特定するための情報によって、上記消費財および／または音楽の情報を提供するようにした情報サービス装置。
【請求項５１】  請求項５０において、さらに、番組より細かい単位でデータを特定するための情報毎に、上記消費財および／または音楽の情報を蓄積することを特徴とする情報サービス装置。
【請求項５２】
請求項５０において
上記消費財および／または音楽に関連する上記情報は番組画像の特定の画面上の位置と対応付けられて送信されることを特徴とする情報サービス装置。
【請求項５３】
請求項５０において、
番組画像が映されているとき、所定の消費財が映る画像が指示されると上記指示の情報を記憶し、
記憶された情報に基づいて上記番組画像が映されていないとき上記消費財に関連する情報を入手することを特徴とする情報サービス装置。
【手続補正２】
【補正対象書類名】明細書
【補正対象項目名】０００６
【補正方法】変更
【補正の内容】
【０００６】
請求項８の発明は、番組データを送信するに際し、番組に流れる音楽に関連する情報を番組画像と同期のとれる形で送信することを特徴とするデータ送信方法である。請求項１５の発明は、請求項８のように、番組データを送信するデータ送信装置である。
【手続補正３】
【補正対象書類名】明細書
【補正対象項目名】０００７
【補正方法】変更
【補正の内容】
【０００７】
請求項１６の発明は、番組データを受信し、番組画像を映すと共に、所定の消費財が映る画像を指示することによって、消費財に関連する情報を入手することを特徴とするデータ受信方法である。請求項２４の発明は、請求項１６のように、番組データを受信するデータ受信装置である。
【手続補正４】
【補正対象書類名】明細書
【補正対象項目名】０００８
【補正方法】変更
【補正の内容】
【０００８】
請求項２５の発明は、番組データを受信し、番組画像を映すと共に、所定の音楽が流れる画像を指示することによって、音楽に関連する情報を入手することを特徴とするデータ受信方法である。請求項３４の発明は、請求項２５のように、音楽に関連する情報を入手するデータ受信装置である。
【手続補正５】
【補正対象書類名】明細書
【補正対象項目名】０００９
【補正方法】変更
【補正の内容】
【０００９】
請求項３５の発明は、番組データを受信し、番組画像を映すと共に、指示操作またはボタン操作によって、番組画像に現れる所定の消費財の情報が画面表示されることを特徴とするデータ表示方法である。請求項４４の発明は、請求項３５のように、消費財の情報が画面表示されるデータ表示装置である。
【手続補正６】
【補正対象書類名】明細書
【補正対象項目名】００１０
【補正方法】変更
【補正の内容】
【００１０】
請求項３６の発明は、番組データを受信し、番組画像を映すと共に、指示操作またはボタン操作によって、番組画像に流れる所定の音楽の情報が画面表示されることを特徴とするデータ表示方法である。請求項４５の発明は、請求項３６のように、音楽の情報が画面表示されるデータ表示装置である。
【手続補正７】
【補正対象書類名】明細書
【補正対象項目名】００１１
【補正方法】変更
【補正の内容】
【００１１】
請求項４６の発明は、番組データに対して、番組データを特定するための情報と、番組データに関連する消費財および／または音楽の情報を蓄積し、番組データを特定するための情報によって、消費財および／または音楽の情報を提供するようにした情報サービス方法である。請求項５０の発明は、請求項４６のように、消費財および／または音楽の情報を提供するようにした情報サービス装置である。